(57)【特許請求の範囲】
【請求項１】
データ領域と前記データ領域と同一面で前記データ領域の内周側に形成されたクランプ領域とを有する光ディスクにレーザ光を用いてデータを記録する光ディスク記録装置において、
前記データ領域に記録する記録データを備えるデータ記録部と、
前記クランプ領域に記録する印字データを備える印字データ記録部と、
前記データ領域及び前記クランプ領域のうち前記レーザ光が焦点している位置に基づく位置信号を生成する駆動部と、
前記位置信号が前記データ領域を示すと前記データ記録部から前記記録データを読み出し、前記位置信号が前記クランプ領域を示すと前記印字データ記録部から前記印字データを読み出す切り換え部と、
前記位置信号が前記データ領域を示すと、前記レーザ光のスポット径を記録用スポット径とし、前記位置信号が前記クランプ領域を示すと、前記記録用スポット径より大きい印字データ用スポット径とするスポット径調整部と、
前記位置信号が前記データ領域を示すと、前記光ディスクを記録用回転数で回転させ、前記位置信号が前記クランプ領域を示すと、前記記録用回転数より遅い印字データ用回転数で回転させる回転制御部とを備え、
前記データ領域に前記記録データを記録する際は、前記光ディスクを前記記録用回転数で回転させながら前記切り換え部が読み出した前記記録データに基づいて前記記録用スポット径で前記レーザ光を前記データ領域に照射し、前記クランプ領域に前記印字データを記録する際は、前記光ディスクを前記印字データ用回転数で回転させながら前記切り換え部が読み出した前記印字データに基づいて前記印字データ用スポット径で前記レーザ光を前記クランプ領域に照射する
ことを特徴とする光ディスク記録装置。
【請求項２】
前記光ディスクに照射された前記レーザ光を受光する受光部を備え、
前記レーザ光で前記クランプ領域に、前記光ディスクの中心部に向かう直線状の基準ラインを形成し、
前記受光部が前記クランプ領域に形成された基準ラインを検出すると、前記切り換え部は前記印字データ記録部より前記印字データを読み出すことを特徴とする請求項１記載の光ディスク記録装置。
【請求項３】
前記光ディスクに照射された前記レーザ光を受光する受光部を備え、
前記受光部が前記クランプ領域に形成された基準ラインを検出すると、前記切り換え部は前記印字データ記録部より前記印字データを読み出すことを特徴とする請求項１記載の光ディスク記録装置。
【発明の詳細な説明】
【技術分野】
【０００１】
本発明は光ディスク記録装置に係り、特に光ディスクに指定されているクランプ領域に視覚可能な文字、記号等の記録、消去を行う光ディスク記録装置に関する。
【背景技術】
【０００２】
ＤＶＤ−ＲＡＭ，ＤＶＤ−ＲＷ等の光ディスクの内周領域には、光ディスク記録装置のクランプ機構で光ディスクを固定するためにクランプ領域と呼ばれる非記録領域が設けられている。
このクランプ領域の設置面はドライブ装置に備えられたディスク回転部に対する光ディスクの基準面であるため、光ディスクに記録された情報の内容を表示するラベル等を貼り付けると、光ディスクの回転駆動時に面振れが大きくなったり、ディスク回転部に対する光ディスクの滑りが大きくなったりして、光ディスクに記録された情報の正常な記録が困難になるから、クランプ領域のディスク表面にラベル等を貼り付けて光ディスクに記録された情報を表示することは好ましくない。
【０００３】
このため従来は、特許文献１に記載されているように、光ディスクのクランプ領域内面に熱記録材料を形成してこの熱記録材料を加熱することにより光ディスクに記録された情報の内容を表示していた。
図８に、特許文献１に記載されている光ディスク記録装置の概要を示す。
【０００４】
図８に示すように、従来の光ディスク記録装置１００は、クランプ機構１０１と、光ディスク１０２と、ターンテーブル１０３と、印字記録ヘッド１０４と、光学ヘッド１０５と、から構成される。
クランプ機構１０１は、係止爪収納部１０１ａと、弾性体１０１ｂと、係止爪１０１ｃと、からなる。
光ディスク１０２は、透明基板１０２ａと、情報記録部１０２ｂと、熱記録材料１０２ｃと、接着材１０２ｄと、からなる。
印字記録ヘッド１０４は、加熱用レーザ１０４ａと、集光レンズ１０４ｂと、からなる。
光学ヘッド１０５は、記録用レーザ１０５ａと、焦点合わせレンズ１０５ｂと、からなる。
【０００５】
クランプ機構１０１は、ターンテーブル１０３に付加されている回転軸上に取り付けられた係止爪収納部１０１ａに収納されている弾性体１０１ｂと係止爪１０１ｃとにより、光ディスク１０２をターンテーブル１０３に固定する。
すなわち、光ディスク１０２の挿入時には係止爪１０１ｃの傾斜に沿って光ディスク１０２が移動すると係止爪１０１ｃに押されて弾性体１０１ｂが係止爪収納部１０１ａ内部方向に縮み係止爪１０１ｃを一旦係止爪収納部１１ａに収納するが、次に光ディスク１０２が係止爪１０１ｃの傾斜の頂点をすぎて反対側の傾斜を経由してターンテーブル１０３上に到達すると、弾性体１０１ｂは係止爪収納部１０１ａ内部方向から伸びて係止爪１０１ｃを光ディスク１０２上に移動させることにより、光ディスク１０２をターンテーブル１０３に固定する。
【０００６】
光ディスク１０２は、２枚の透明基板１０２ａ上に、それぞれ情報記録部１０２ｂと熱記録材料１０２ｃとを設置し、次に設置された情報記録部１０２ｂと熱記録材料１０２ｃとを内側にして接着材１０２ｄにより張り合わせて１枚の光ディスクを作成する。
そして、印字記録ヘッド１０４により熱記録材料１０２ｃを加熱して表示する文字・記号等を印字し、光学ヘッド１０５により情報記録部に情報を記録する。
【０００７】
ターンテーブル１０３は、スピンドルモータに接続されており、スピンドルモータの回転によりターンテーブル１０３上に固定された光ディスク１０２を回転させる。
印字記録ヘッド１０４は、加熱用レーザ１０４ａからレーザ光を出射し、集光レンズ１０４ｂで出射されたレーザ光を熱記録材料１０２ｃ面に集光して加熱し、文字・記号等を表示させる。
光学ヘッド１０５は、記録時には記録用レーザ１０５ａからレーザ光を出射し、焦点合わせレンズ１０５ｂで出射されたレーザ光を光ディスク１０２の情報記録部１０２ｂ面に焦点を合わせて情報を記録する。また、光学ヘッド１０５では、再生時に光ディスク１０２の情報記録部１０２ｂ面の情報が記録された部分にレーザ光を照射して反射させ、この反射光による受光信号を生成して記録された情報の再生を行う。
【０００８】
次に、光ディスク記録装置１００の動作を説明する。
まず、光ディスク１０２における一方の面側の中心孔をクランプ機構１０１側からターンテーブル１０３に向けて挿入すると、クランプ機構１０１の係止爪１０１ｃの最初の傾斜に沿って光ディスク１０２が移動すると、係止爪１０１ｃは押されて収納部１０１ａ内部方向に移動し、更に光ディスク１０２を移動させると係止爪１０１ｃの先端を通過して今度は係止爪１０１ｃの次の傾斜に沿って収納部１０１ａの内部方向から元の位置に戻り、そして光ディスク１０２がターンテーブル１０３上に到達すると、係止爪１０１ｃは光ディスク１０２の他方の面上に移動して、光ディスク１０２をターンテーブル１０３に固定する。
【０００９】
そして、印字記録ヘッド１０４をターンテーブル１０３に固定された光ディスク１０２の熱記録材料１０２ｃ面の位置に移動させ、加熱用レーザ１０４ａからレーザ光を出射して熱記録材料１０２ｃ面に集光して加熱し、文字・記号等を印字する。
光ディスク１０２の記録を行うときは、光学ヘッド１０５を印字記録ヘッド１０４が設置されている光ディスク面の反対側の情報記録部１０２ｂ面に移動させて、情報の記録を行う。
【００１０】
このようにして、光ディスクに指定されているクランプ領域にラベル等を貼り付けることなく、視覚可能な文字、記号等の記録を行っていた。
【特許文献１】特開２００１−１８４７３０号公報
【発明の開示】
【発明が解決しようとする課題】
【００１１】
しかしながら、図８に示すように、クランプ機構１０１の係止爪１０１ｃは、光ディスク１０２をターンテーブル１０３上に固定している時は、光ディスク１０２上に位置するためクランプ領域にある熱記録材料１０２ｃの一部分を覆ってしまい、このため印字記録ヘッド１０４から出射されるレーザ光を中断してしまい熱記録材料１０２ｃ面全体に文字・記号等の印字を行うことが出来ないと言う問題点があった。
更に、光学ヘッド１０５の他に、クランプ領域にある熱記録材料１０２ｃに印字するためには印字記録ヘッド１０４を追加して設置しなければならず、記録や印字が行われる光ディスク面の両側にそれぞれ印字記録ヘッド１０４と光学ヘッド１０５が位置するため、光ディスクの着脱動作を複雑にしかつ光ディスク記録装置の形状を大きくしてしまうという問題点があった。
【００１２】
そこで、本発明は、上記のような問題点を解消するためになされたもので、光ディスクの着脱動作が容易であり、しかも印字記録ヘッド１０４を追加しなくても光ディスクのクランプ領域に印字できる、小型な形状の光ディスク記録装置を提供することを目的とする。
【課題を解決するための手段】
【００１３】
上述した課題を解決するために、本発明は（ａ）−（ｃ）の構成を有する光ディスク記録装置を提供する。
（ａ）データ領域と前記データ領域と同一面で前記データ領域の内周側に形成されたクランプ領域とを有する光ディスクにレーザ光を用いてデータを記録する光ディスク記録装置において、前記データ領域に記録する記録データを備えるデータ記録部と、前記クランプ領域に記録する印字データを備える印字データ記録部と、前記データ領域及び前記クランプ領域のうち前記レーザ光が焦点している位置に基づく位置信号を生成する駆動部と、前記位置信号が前記データ領域を示すと前記データ記録部から前記記録データを読み出し、前記位置信号が前記クランプ領域を示すと前記印字データ記録部から前記印字データを読み出す切り換え部と、前記位置信号が前記データ領域を示すと、前記レーザ光のスポット径を記録用スポット径とし、前記位置信号が前記クランプ領域を示すと、前記記録用スポット径より大きい印字データ用スポット径とするスポット径調整部と、前記位置信号が前記データ領域を示すと、前記光ディスクを記録用回転数で回転させ、前記位置信号が前記クランプ領域を示すと、前記記録用回転数より遅い印字データ用回転数で回転させる回転制御部とを備え、前記データ領域に前記記録データを記録する際は、前記光ディスクを前記記録用回転数で回転させながら前記切り換え部が読み出した前記記録データに基づいて前記記録用スポット径で前記レーザ光を前記データ領域に照射し、前記クランプ領域に前記印字データを記録する際は、前記光ディスクを前記印字データ用回転数で回転させながら前記切り換え部が読み出した前記印字データに基づいて前記印字データ用スポット径で前記レーザ光を前記クランプ領域に照射することを特徴とする光ディスク記録装置。
（ｂ）前記光ディスクに照射された前記レーザ光を受光する受光部を備え、前記レーザ光で前記クランプ領域に、前記光ディスクの中心部に向かう直線状の基準ラインを形成し、前記受光部が前記クランプ領域に形成された基準ラインを検出すると、前記切り換え部は前記印字データ記録部より前記印字データを読み出すことを特徴とする（ａ）記載の光ディスク記録装置。
（ｃ）前記光ディスクに照射された前記レーザ光を受光する受光部を備え、前記受光部が前記クランプ領域に形成された基準ラインを検出すると、前記切り換え部は前記印字データ記録部より前記印字データを読み出すことを特徴とする（ａ）記載の光ディスク記録装置。
【発明の効果】
【００１４】
本発明によれば、印刷領域とデータ領域とを同一面に有する光ディスクの印刷領域に、レーザ光を用いて印字データの記録を行う光ディスク記録装置において、データ領域にデータを記録させるデータ記録部と、印刷領域に印字データを記録する印字データ記録部と、外部から供給される信号により、データ記録部と印字データ記録部との選択を行う切り換え部と、レーザ光のスポット径を調整するスポット径調整部と、光ディスクの回転を行わせる回転部と、切り換え部の選択で前記データ記録部が選択された場合には、スポット径調整部にレーザ光のスポット径を記録用スポット径にすると共に、回転部に前記光ディスクの回転を記録用の回転数にするように制御し、印字データ記録部が選択された場合には、スポット径調整部にレーザ光のスポット径を記録用スポット径よりも大きなスポット径にすると共に、回転部に前記光ディスクの回転を記録用の回転数よりも遅い回転数にする回転制御部と、を備えるので、光ディスクのクランプ領域に印字出来、かつ、光ディスクの着脱動作が簡単で小型な形状とすることが出来る。
【発明を実施するための最良の形態】
【００１５】
以下に本発明の実施形態に係る光ディスク記録装置について図１〜図７を用いて説明する。
図１は、本発明の実施形態における光ディスク記録装置の全体の構成を示す図である。
図２は、本発明の実施形態における光ディスク記録装置の断面図を示す図であり、（Ａ）はデータ記録部において記録を行う動作を説明するための図であり、（Ｂ）は印字データ記録部において印字を行う動作を説明するための図である。
図３は、本発明の実施形態における光ディスク記録装置のクランプ機構を示す図であり、（Ａ）は上面から見た図であり、（Ｂ）は光ディスク装着前の側面から見た断面を示す図であり、（Ｃ）は光ディスク装着後の側面から見た断面を示す図である。
図４は、本発明の実施形態における光ディスク記録装置に用いる光ディスクの構造を説明するための図であり、（Ａ）は上面から見た図であり、（Ｂ）は側面から見た断面を示す図である。
図５は、光ディスクに印字された文字・記号等を説明するための図であり、（Ａ）は印刷領域に印字された印刷文字を示す図であり、（Ｂ）は印刷領域に設置された基準ラインを示す図である。
図６は、光ディスクに記録されたデータのスポット径と基準ラインとを示す図であり、（Ａ）はデータに基づいてデータ記録部に記録されたスポット径を示す図であり、（Ｂ）は印字データ記録部に予め記録されている基準ラインを示す図である。
図７は、印字データ記録部に記録された文字のスポット径を説明するための図である。
【００１６】
図１に示すように、本発明の実施形態における光ディスク記録装置１は、データ記録部２（データ記録部）と、印字データ記録部３と、印字位置制御部４と、切り換え部５と、光学ヘッド６と、光ディスク記録媒体７と、受光信号選別部８と、マーク位置検出部９と、再生データ生成部１０と、ピックアップ位置検出部１１と、スポット径調整部１２と、回転部１３と、回転制御部１４と、ターンテーブル１５と、クランプ機構１６と、から構成される。
【００１７】
切り換え部５は、端子ａ，ｂ，ｃを有するＳＷ１からなる。
光学ヘッド６は、レーザ発光部６ａと、レーザ受光部６ｂと、駆動部６ｃと、からなる。
光ディスク記録媒体７は、図２に示すように情報記録部７ａと、熱記録材料７ｂと、透明基板７ｃと、接着剤７ｄと、からなる。
クランプ機構１６は、図３に示すように係止バネ１６ａ−０〜係止バネ１６ａ−４と、筐体１６ｂと、からなる。
【００１８】
データ記録部２は、外部のパソコンやデジタルカメラ等のデータ生成部１７において生成された情報のデータを入力して記憶し、光ディスクに記録する回転速度に合わせて記憶されたデータが読み出される。
印字データ記録部３は、外部のパソコンやデジタルカメラ等のデータ生成部１７において生成された印字データを入力して記憶し、光ディスクに印字する回転速度に合わせて記憶された印字データが読み出される。
【００１９】
印字位置制御部４は、光ディスクの印字部に予め形成されている基準ライン上のマークの位置に準じて生成されたマーク位置信号に基づいて印字データ記憶部に記憶された印字データを読み出すタイミングを制御する。
切り換え部５は、光ディスクのデータ領域とクランプ領域の位置を検出して生成された切り換え信号により、データ記録部２から読み出された光ディスクに記録するデータか、印字データ記録部３から読み出された光ディスクに印字する印字データか、のいずれかに切り換える。
【００２０】
光学ヘッド６は、切り換え部５から供給される光ディスクに記録するデータあるいは印字データに基づいてレーザ光をレーザ発光部６ａから出射する。光ディスクに記録されたデータを再生する場合は、レーザ発光部６ａから一定光量で出射されたレーザ光を光ディスクのデータ記録面で反射させレーザ受光部６ｂでデータに応じて反射された反射光を受光して、受光信号を生成する。
駆動部６ｃは、光学ヘッド６のレーザ光焦点位置であるピックアップ部分の移動位置を制御するとともにピックアップ位置がデータ記録部２か印字データ記録部３かを示すピックアップ位置信号を生成する。さらに駆動部６ｃでは、レーザ光の焦点位置をピックアップ位置信号に基づいて生成されたスポット径調整信号により光ディスクに照射されるレーザ光のスポット径を制御する。
【００２１】
光ディスク記録媒体７は、図２に示すように、主としてデータを記録する記録部７ａと文字・記号等を印字する印刷部７ｂとからなり、この記録部７ａと印刷部７ｂとを２枚の透明基板７ｃ上にそれぞれ形成して、２枚の透明基板７ｃがそれぞれ外側になるように配置して接着材７ｄにより張り合わせることにより、両面の記録・印字を可能とする。
この記録部７ａと印刷部７ｂは消去可能な熱可逆性記録媒体・熱可逆性印字媒体としても良い。また、印字部７ｂには予め基準ライン上に複数のマークを形成して印字位置を定めても良い。
【００２２】
受光信号選別部８は、レーザ受光部で生成された受光信号から光学ヘッドの位置が記録部７ａか印刷部７ｂかを選別し、記録部７ａの位置を選別した場合はデータを生成し、印刷部７ｂを選別した場合は、基準ラインのマーク位置を示すマーク信号を生成する。
マーク位置検出部９は、受光信号選別部８で生成されたマーク信号から光ディスクに文字・記号等を印字する場合の印字開始位置を示すマーク位置信号を生成し、印字位置制御部４で印字データを読み出すタイミングに用いる。
【００２３】
再生データ生成部１０は、受光信号選別部８で生成されたデータを表示データに配列して外部に設置されたデータ表示部１８へ送り表示する。
ピックアップ位置検出部１１は、光学ヘッド６で生成されたピックアップ位置信号から記録部７ａと印刷部７ｂとを切り換える切り換え信号を生成する。
スポット径調整部１２は、ピックアップ位置検出部１１で生成された切り換え信号に基づいて記録部７ａの位置では小さく、印刷部７ｂでは大きくするようにスポット径を調整するスポット径調整信号を生成する。
【００２４】
回転部１３は、スピンドルモータ等からなり、光ディスク７を回転させる駆動力を生成する。
回転制御部１４は、回転部１３で生成される光ディスク７を回転させる駆動力をピックアップ位置検出部１１で生成された切り換え信号に基づいて記録部７ａの位置では速く、印刷部７ｂでは遅くなるよう制御する回転駆動力制御信号を生成する。
ターンテーブル１５は、光ディスク７を設置して回転部１３から供給される駆動力により光ディスクを回転させる。
【００２５】
クランプ機構１６は、図３（Ａ）に示す筐体１６ｂがターンテーブル１５に固定され、係止バネ１６ａ−０〜係止バネ１６ａ−４により光ディスク７を着脱させる。図３（Ｂ）は光ディスク７を装着する前のクランプ機構１６の断面図であり、係止バネ１６ａ−０〜係止バネ１６ａ−４は幅ｔ０の状態を保っている。
図３（Ｃ）は光ディスク７を装着したときのクランプ機構１６の断面図であり、係止バネ１６ａ−０〜係止バネ１６ａ−４は光ディスク７のクランプ孔に沿って縮められた幅ｔ１となり、この縮められた際に発生する反発力により光ディスク７は、クランプ機構１６に固定されたターンテーブル１５上に、保持される。
【００２６】
データ生成部１７は、パソコンやデジタルカメラ等の情報からなるデータや印字データを生成する情報データ生成装置からなり、光ディスク記録装置１に生成したデータや印字データを送り、光ディスク７に記録或いは印字する。
データ表示部１８は、ＣＲＴや液晶の表示装置からなり、光ディスク記録装置１で再生されたデータを表示する。
【００２７】
次に、光ディスク記録媒体７の記録部７ａにデータを記録する動作を説明する。
まず、図２（Ａ）に示すように光ディスク記録媒体７をクランプ機構１６側から挿入してターンテーブル１５に固定したのち、回転部１３の駆動によりターンテーブル１５を経由して光ディスク記録媒体７を所定の回転速度で回転させる。
そして、光学ヘッド６を光ディスク記録媒体７の記録部７ａの記録する位置に移動させる。
記録部７ａに光学ヘッド６が位置しているときは、駆動部６ｃのピックアップ位置信号が記録部７ａを示すから、ピックアップ位置検出部１１より生成される切り換え信号も記録部７ａ用になり、この切り替え信号により切り換え部５のＳＷ１の端子ａと端子ｂとを接続させ、スポット径調整部１２ではレーザ発光部６ａから出射されるレーザ光のスポット径が記録部７ａ上でデータを記録する所定の大きさの径となるようなスポット径調整信号を生成し、回転制御部１４では光ディスク記録媒体７を所定の回転速度で回転させる回転駆動力制御信号を生成する。
【００２８】
そして、外部のパソコンやデジタルカメラ等からなるデータ生成部１７において生成された情報のデータを、光ディスク記録装置１のデータ記録部２に記憶し、次に光ディスクの所定の回転速度に合わせて記憶されたデータを読み出し、この読み出したデータを切り換え部５のＳＷ１の端子ａと端子ｂとを、ピックアップ位置検出部１１で生成された切り換え信号に基づいて、接続して端子ａから光ヘッド６のレーザ発光部６ａに読み出したデータを加えることにより、レーザ発光部６ａから読み出したデータに基づいた記録用のエネルギーを有する強度のレーザ光を出射して光ディスク記録媒体７の記録部７ａにデータを記録する。
【００２９】
光ディスク記録媒体７の記録部７ａにデータを記録するには記録部分を略６００℃になるように、レーザ発光部６ａから記録用のエネルギーを有する強度のレーザ光を出射した後、急冷すると記録部７ａの記録材料を結晶層から非結晶層に変化させる。この非結晶層は再生用のレーザ光を反射しないのでデータ記録部分として用いられる。
また、データ記録部分を２００℃に加熱した後、徐冷すると非結晶層から再び結晶層に戻されデータ記録部分が消去される。
このようにして記録部のデータの記録、消去を行う。
【００３０】
光ディスク記録媒体７の記録部７ａに記録されたデータは、レーザ発光部６ａから記録用のエネルギー強度より弱い再生用のレーザ光を出射して光ディスク記録媒体７の記録部７ａのデータ記録部分に当てて反射させることにより記録されたデータに基づいた反射光を生成し、この生成された反射光をレーザ受光部６ｂで受光して受光信号を生成する。
そして受光信号選別部８で受光信号を選別してデータに生成し、この生成されたデータを再生データ生成部１０によりデータ表示部１８の表示データとして配列し光ディスク記録装置１の外部に設置されたデータ表示部１８において表示する。
【００３１】
次に、光ディスク記録装置１により光ディスク記録媒体７の記録部７ａにデータの記録が行われた後、図２（Ｂ）に示すように光ディスク記録媒体７の印刷部７ｂに光学ヘッド６を移動させる。
この印刷部７ｂに光学ヘッド６が位置しているときは、駆動部６ｃのピックアップ位置信号が印刷部７ｂを示すから、ピックアップ位置検出部１１より生成される切り換え信号は印刷部７ｂ用になり、この切り替え信号により切り換え部５のＳＷ１の端子ａと端子ｃとを接続させ、スポット径調整部１２ではレーザ発光部６ａから出射されるレーザ光のスポット径が印刷部７ｂ上で文字や記号を印字する印字ドットサイズの径となるようなスポット径調整信号を生成し、回転制御部１４では光ディスク記録媒体７の印刷部７ｂ上で文字や記号が印字出来るようなエネルギーを得られるよう低速の回転速度で光ディスク記録媒体７を回転させる回転駆動力制御信号を生成する。
【００３２】
そして、光ディスク記録媒体７の記録部７ａに記録されたデータの内容を示す印字データをデータ生成部１７で生成する。
このデータ生成部１７で生成された印字データを光ディスク記録装置１の印字データ記録部３に記憶し、次に光ディスクの回転速度に合わせて記憶された印字データを読み出し、この読み出した印字データを切り換え部５のＳＷ１の端子ａと端子ｃとを、ピックアップ位置検出部１１で生成された切り換え信号に基づいて、接続して端子ａから光ヘッド６のレーザ発光部６ａに加えることにより、レーザ発光部６ａから印字データに基づいた印字用のエネルギーを有する強度と径を有するレーザ光を出射して光ディスク記録媒体７の印刷部７ｂに印字データによる文字・記号等を印字する。
【００３３】
次に光ディスク記録媒体７について詳細に説明する。
図４（Ｂ）に示すように、光ディスク記録媒体７は、データを記録する記録部７ａと文字・記号等を印字する印刷部７ｂと、この記録部７ａと印刷部７ｂとを透明基板７ｃ上に形成して、これを２組用いてそれぞれの透明基板７ｃが外側になるように配置して接着材７ｄにより張り合わせた後、中央にクランプ孔を貫通させる。印刷部７ｂはクランプ領域に設置する。
【００３４】
印刷部７ｂは、印字及び印字消去が可能な感熱式リライタブル材料により形成する。
感熱式リライタブル材料には、ロイコ染料とロイコ染料保護用誘電体を用いる。透明基板７ｃ上に略１０ミクロンの厚さで塗布する。
ロイコ染料は、略１７０℃で発色し、加熱後急冷するとそのまま発色状態を保ち、発色後徐冷すると消色するため、この性質を利用して印字及び印字消去を行う。
本発明に係る感熱式リライタブル材料である可逆性感熱記録媒体には、光熱変換層を用いてもよい。このような光熱変換層は、レーザ光などの光を吸収して、熱に変換し、隣接する可逆性感熱記録層を発色させたり、あるいは消色させたりするために設けられるものである。一般的に、このような光熱変換層は、レーザ光波長近傍での光吸収係数の大きな色素等を、樹脂等に混合あるいは分散等させて用いることが好ましい。
このような色素としては、シアニン系色素、ポリメチン系色素、銅フタロ シアニン系色素などのフタロシアニン系色素、ナフタロシアニン系色素、ジチオール金属錯塩系色素、トリフェニルメタン系色素、アミニウム系色素、ジインモ ニウム系色素等の近赤外線吸収色素等を用いることができる。これらの色素は、樹脂と併用して用いることが好ましく、たとえば、上記したような基材に使用される樹脂を挙げることができる。
【００３５】
例えば、ＤＶＤ−Ｒ用の光ディスク記録媒体７を、１６倍速である線速度５５．８４ｍ／秒で回転し、光ヘッド６のレーザ発光部６ａからレーザ光を出射して光ディスク記録媒体７の記録部７ａを６００℃で加熱して略０．５ミクロンピッチ（記録トラックは０．７４ミクロンピッチ）の記録マークを形成するために必要なレーザ光のエネルギーを用いて印字を行う場合、印字する際のレーザ光径を例えば８５ミクロンピッチとすると必要なエネルギーは８５／０．５となり略１７０倍となるが、層厚をデータ記録層０．０８ミクロン、ロイコ用光熱変化層０．８ミクロンとして約１０倍エネルギーがいるとすると計１７００倍となる。
発色温度が略１７０℃／６００℃であるためこれを加味すると略４８２倍のエネルギーが印刷部７ｂの印字に必要となる。
このため、光ディスク記録媒体７の記録部７ａに用いる光ヘッド６をそのまま用い
て印刷部７ｂの印字を行うためには、レーザ出射パワーを略２倍にし、線速度５５．８４ｍ／秒を１／２４１の線速度０．２３２ｍ／秒（１７７ｒｐｍ相当）に落とせばよい。
印字消去を行うためには、印字消去部分の線速度を速くする、またはスポット径を大きくする、またはレーザ出射パワーを下げることにより、印字部のエネルギーを低下すればよい。
【００３６】
このようにすれば、光ディスク記録媒体７の記録部７ａの記録、消去と印刷部７ｂの印字、印字消去とを、光ディスク記録媒体７の回転する線速度をそれぞれに適するよう設定することにより同じ光ヘッド６を用いることが出来る。
従って、光ディスク記録媒体７の同一面にデータの記録とデータの内容を表示する文字・記号を印字でき、かつデータの記録、消去と文字・記号の印字、印字消去もほぼ同時に行うことが出来る。
【００３７】
光ディスク記録媒体７の印刷部７ｂに文字や記号を容易に印字するためには予め基準ライン上に複数のマークを所定幅Ｗと所定長さＬで印刷部７ｂに設置し、このそれぞれの複数のマーク位置により印字データ記憶部３に記憶された印字データを読み出すタイミングを制御する。
尚、基準ライン上に設置するマークは、印刷部７ｂに印字データを印字する前に光ヘッド部６により印字しても良い。この場合、光ディスク記録媒体７は回転させずに光ヘッド６を光ディスクの中心部に順次移動させることにより基準ライン上にマークを印字する。
【００３８】
図５に示すように、基準ラインのマークは印刷部７ｂ上に光ディスク記録媒体７の中心部に向かって直線状に並べて形成し、例えば各マークのサイズは、光ディスク７の中心部の遠いほうからＷ０×Ｌ０、Ｗ１×Ｌ１、Ｗ２×Ｌ２、Ｗ３×Ｌ３、Ｗ４×Ｌ４、とし、Ｗ０＞Ｗ１＞Ｗ２＞Ｗ３＞Ｗ４、Ｌ０＝Ｌ１＝Ｌ２＝Ｌ３＝Ｌ４、とする。
【００３９】
図６（Ｂ）に示すように印刷部７ｂ上設置されるマークのサイズは、図６（Ａ）に示される記録部７ａに記録されたデータの記録ドットよりはるかに大きくなるように設定して印字時のマーク位置を正確に検出できるよう構成する。
即ち、
Ｄｍａｘ＜＜Ｗ、Ｔ＜＜Ｌ
とする。
【００４０】
また、図７に示すように、例えば、文字を縦１２ドット×横１２ドットで印字すると、一文字のサイズは、１ドット（φ０）、１ドット間隔（ｐ０）をそれぞれ８５ミクロンとすれば、１．０２０ｍｍ×１．０２０ｍｍとなる（８５ミクロンは印刷時の解像度としては略３００ｄｐｉに相当する。ｄｐｉ：ｄｏｔ  ｐｅｒ  ｉｎｃｈ）。
従って、最小マークサイズはこの一文字のサイズよりも大きくする必要があるから、
Ｗ＞１．０２０ｍｍ、Ｌ＞１．０２０ｍｍ
とする。
一文字のサイズをそれぞれの位置のマークサイズに応じて設定する場合は、
最小サイズマーク（Ｗ４，Ｌ４基準）＞最大一文字サイズ（Ｗ０、Ｌ０基準）
とする。
文字のドットサイズは３００ｄｐｉに限定されるものではなく、例えば２００ｄｐｉ(１２７ミクロン)、２４０ｄｐｉ(１０５ミクロン)等としてもよいのはもちろんである。
【００４１】
印字部７ｂに印字できる文字数は、クランプ領域を直径１５ｍｍ〜直径２６ｍｍの範囲とすると、例えば直径２０ｍｍの時に文字のドットサイズが８５ミクロンでは一文字は１．０２０ｍｍであるから、文字数は（２０ｍｍ×３．１４）／１．０２０ｍｍ＝６１となるが、マークを２文字分として差し引くと、５９文字が印字できる文字数である。
最小直径時には文字のドットサイズを１５ｍｍ／２０ｍｍ×８５ミクロン＝６３．７５ミクロンとすることにより最大直径時と同じ文字数とする。
尚、２０ｍｍの直径時には文字のドット数は（２０ｍｍ×３．１４）／８５ミクロン＝７３８となるので、光ディスクの一周を３６０°／７３８＝０．４９°の角度のステップ送りが出来る精度で光ディスク記録媒体７を回転させる。
【００４２】
このようにすれば、印字部７ｂに印字される文字や記号の大きさや、印字される位置は、マーク位置によって定められ、光ディスクの中心部に近くなるほど小さいサイズとなり、印字される文字数はほぼ一定で、印字開始位置は一定の角度に固定されるから、予め印字される文字の配置を指定することが出来る。
【００４３】
尚、クランプ領域に印刷部を設定するため、感熱式リライタブル材料を塗布したラベルを貼り合わせても良いのはもちろんである。
この場合、クランプ領域は光ディスク記録媒体７の基準面であるため、光ディスク記録媒体７の回転駆動時に面振れが大きくなったり、ターンテーブル固定時の光ディスク記録媒体７の滑りが大きくなったり、しないようにラベルの厚さを１００ミクロン以下に設定する。
【００４４】
以上述べてきたように、本発明の実施形態における光ディスク記録装置によれば、同じ光ヘッド６を用いて光ディスク記録媒体７の同一面に設置された記録部７ａへのデータ記録・消去と印刷部７ｂへの印字データ印字・印字消去とを行うことが出来るので、光ディスクの着脱動作が容易でかつクランプ領域に印字できる、小型な形状の光ディスク記録装置とすることが出来る。
【図面の簡単な説明】
【００４５】
【図１】本発明の実施形態における光ディスク記録装置の全体の構成を示す図である。
【図２】本発明の実施形態における光ディスク記録装置の断面図を示す図であり、（Ａ）はデータ記録部において記録を行う動作を説明するための図であり、（Ｂ）は印字データ記録部において印字を行う動作を説明するための図である。
【図３】本発明の実施形態における光ディスク記録装置のクランプ機構を示す図であり、（Ａ）は上面から見た図であり、（Ｂ）は光ディスク装着前の側面から見た断面を示す図であり、（Ｃ）は光ディスク装着後の側面から見た断面を示す図である。
【図４】本発明の実施形態における光ディスク記録装置に用いる光ディスクの構造を説明するための図であり、（Ａ）は上面から見た図であり、（Ｂ）は側面から見た断面を示す図である。
【図５】光ディスクに印字された文字・記号等を説明するための図であり、（Ａ）は印刷領域に印字された印刷文字を示す図であり、（Ｂ）は印刷領域に設置された基準ラインを示す図である。
【図６】光ディスクに記録されたデータのスポット径と基準ラインとを示す図であり、（Ａ）はデータに基づいてデータ記録部に記録されたスポット径を示す図であり、（Ｂ）は印字データ記録部に予め記録されている基準ラインを示す図である。
【図７】印字データ記録部に記録された文字のスポット径を説明するための図である。
【図８】従来の光ディスク記録装置を示す図である。
【符号の説明】
【００４６】
１・・・光ディスク記録装置、２・・・データ記録部（データ記録部）、３・・・印字データ記録部、４・・・印字位置制御部、５・・・切り換え部、６・・・光学ヘッド、６ａ・・・レーザ発光部、６ｂ・・・レーザ受光部、６ｃ・・・駆動部、７・・・光ディスク記録媒体(光ディスク)、７ａ・・・情報記録部、７ｂ・・・熱記録材料、７ｃ・・・透明基板、７ｄ・・・接着剤、８・・・受光信号選別部、９・・・マーク位置検出部、１０・・・再生データ生成部、１１・・・ピックアップ位置検出部、１２・・・スポット径調整部、１３・・・回転部、１４・・・回転制御部、１５・・・ターンテーブル、１６・・・クランプ機構、１６ａ−０〜１６ａ−４・・・係止バネ、１６ｂ・・・筐体
【図１】
0004453663.tif 000002
【図２】
0004453663.tif 000003
【図３】
0004453663.tif 000004
【図４】
0004453663.tif 000005
【図５】
0004453663.tif 000006
【図６】
0004453663.tif 000007
【図７】
0004453663.tif 000008
【図８】
0004453663.tif 000009